(57)【要約】【課題】遊技の邪魔にならず、煙草の灰、ゴミ、飲料物などによる障害の発生がなく、煙草のけむりの害を大きく緩和できる清浄化機能付遊技テーブルを提供する。【解決手段】テーブル板２の端部下に、灰皿３を引き出し入れ自在であると共にこの灰皿３との間に空気の通り道となる隙間４を有してなる灰皿収納ケース５を１以上設け、これら１以上の灰皿収納ケース５を、テーブル板２の下に設けたファン内蔵型空気清浄機６に接続してなり、ファン内蔵型空気清浄機６をオンにすれば、灰皿収納ケース５からの灰皿３の引き出し入れに関係なく、隙間４を通り灰皿収納ケース５から空気を吸い込んで、ファン内蔵型空気清浄機６内に導入し清浄化することで、上記課題を達成する。【選択図】図１
0003160950.tif 000002
【実用新案登録請求の範囲】
【請求項１】
テーブル板の端部下に、灰皿を引き出し入れ自在であると共に該灰皿との間に空気の通り道となる隙間を有してなる灰皿収納ケースを１以上設け、該１以上の灰皿収納ケースを、前記テーブル板下に設けたファン内蔵型空気清浄機に接続してなり、前記ファン内蔵型空気清浄機をオン状態にすれば、前記灰皿収納ケースからの前記灰皿の引き出し入れに関わりなく、前記隙間を通し前記灰皿収納ケースから空気を吸い込んで、前記ファン内蔵型空気清浄機内に導入し清浄化することを特徴とする清浄化機能付遊技テーブル。
【請求項２】
前記灰皿の側部に集煙板を取り付けた請求項１記載の清浄化機能付遊技テーブル。
【請求項３】
前記集煙板は、前記灰皿の側部に回転自在に取り付けられと共に前記灰皿及び／または灰皿収納ケースに回転駆動部が設けられ、前記灰皿収納ケースから前記灰皿が引き出された際、前記集煙板は前記回転駆動部により外方に回転して開き、前記灰皿収納ケースに前記灰皿が入れられた際、前記集煙板は前記回転駆動部により内方に回転して窄まり閉じ、前記灰皿と共に前記灰皿収納ケース内に収納される請求項１記載の清浄化機能付遊技テーブル。
【請求項４】
前記回転駆動部は、バネ付蝶番である請求項３記載の清浄化機能付遊技テーブル。
【請求項５】
前記回転駆動部は、前記灰皿収納ケースに設けた凸部と、前記灰皿に前記集煙板を回転自在に軸支する回転軸と、前記凸部に沿い摺接して前記集煙板を回転軸により回転させ且つ前記集煙板の基端部に設けてなる窪み部と、からなる請求項３記載の清浄化機能付遊技テーブル。
【請求項６】
前記ファン内蔵型空気清浄機は、前記灰皿収納ケースから少なくとも１の灰皿が引き出された際オン状態となり、すべての灰皿が灰皿収納ケース内に収納されたあと、所定時間経過後にオフ状態となる請求項１、２、３、４または５記載の清浄化機能付遊技テーブル。
【考案の詳細な説明】
【技術分野】
【０００１】  本考案は、遊技場などに設置する遊技テーブルに関し、詳しくは、テーブル板の端部下に、灰皿を引き出し入れ自在であると共に灰皿との間に空気の通り道となる隙間を有してなる灰皿収納ケースを１以上設け、これらの１以上の灰皿収納ケースを、テーブル板下に設けたファン内蔵型空気清浄機に接続してなる清浄化機能付遊技テーブルに関する。
【背景技術】
【０００２】  遊技場、例えば、カジノにおける遊技テーブルでは、開放感ならびに遊技時の緊張感から、喫煙できることが必須の条件あるいは暗黙の了解事項となっている。したがって、遊技テーブル上に灰皿が置かれ、喫煙習慣のある遊技者は喫煙しながら遊技をすることになる。すなわち、喫煙する遊技者は、くわえ煙草をしながら遊技をしたり、灰皿に置き煙草をして遊技をすることになる。【０００３】  このような状況から、喫煙しない遊技者や遊技場の従業員は、煙草のけむりから逃れる術がなく、健康への悪影響から忌避する事態になり、遊技場の運営に大きな障害を及ぼしている。したがって、このような障害を少しでも緩和するために、遊技テーブルのテーブル板にエアー吸込口を設け、このエアー吸込口に排気ファンをつなげ、遊技テーブル上に漂う煙草のけむりを、エアー吸込口から周囲の空気と共に吸い込み外部に排出している。
【考案の概要】
【考案が解決しようとする課題】
【０００４】  上記したように、遊技テーブル上に灰皿を置くことは、遊技自体の妨げになり、喫煙しない遊技者や遊技場の従業員にとって煙草のけむりから逃れることができない。また、遊技テーブルにエアー吸込口を設けて煙草のけむりを吸い込んでも、エアー吸込口周辺の狭い範囲に漂う煙草のけむりを吸い込むだけであって、さしたる効果を期待することができない。逆に、煙草の灰、ゴミあるいはこぼした飲料物がエアー吸込口内に入る可能性が出てきて、そのことによる別の障害が発生することになる。【０００５】  煙草のけむりは、人が喫煙することにより発生する主流煙と、喫煙中の煙草を主に灰皿に置くこと、すなわち置き煙草など、人を経由しないで発生する副流煙とがある。主流煙は、フィルターや人の肺を経由しているため比較的害が少ないのに対し、副流煙は、煙草からそのまま発生するため主流煙よりかなり害が多いといえる。主流煙は、移動する遊技者から発生するから、その主流煙を捕捉して回収するのが困難であり、部屋全体の換気強度を上げることなどによって、主流煙に対処することになる。一方、副流煙は、そのほとんどが遊技者が遊技に集中するあまり喫煙しつつも、頻繁に上記した置き煙草をすることによって発生するから、灰皿の近くにエアー吸引口を設けることにより、副流煙を対処することが出来る。その意味で、副流煙を対処することが、喫煙しない遊技者や遊技場の従業員に対し有効な手立てになると言えるから、現状ではこのような対応が強く望まれているところである。【０００６】  そこで、本考案は、上記事情に鑑みてなされたもので、遊技の邪魔にならず、煙草の灰、ゴミあるいは飲料物などによる別の障害の発生がなく、煙草のけむりの害を大きく緩和することができる清浄化機能付遊技テーブルを提供することを課題とする。
【課題を解決するための手段】
【０００７】  本考案は、上記課題を達成するために提案されたものであって、下記の構成からなることを特徴とするものである。
すなわち、請求項１記載の考案は、テーブル板の端部下に、灰皿を引き出し入れ自在であると共に該灰皿との間に空気の通り道となる隙間を有してなる灰皿収納ケースを１以上設け、該１以上の灰皿収納ケースを、前記テーブル板下に設けたファン内蔵型空気清浄機に接続してなり、前記ファン内蔵型空気清浄機をオン状態にすれば、前記灰皿収納ケースからの前記灰皿の引き出し入れに関わりなく、前記隙間を通し前記灰皿収納ケースから空気を吸い込んで、前記ファン内蔵型空気清浄機内に導入し清浄化することを特徴とする清浄化機能付遊技テーブルである。【０００８】  また、請求項２記載の考案は、前記灰皿の側部に集煙板を取り付けたことを特徴とする清浄化機能付遊技テーブルである。【０００９】  また、請求項３記載の考案は、前記集煙板が、前記灰皿の側部に回転自在に取り付けられと共に前記灰皿及び／または灰皿収納ケースに回転駆動部が設けられ、前記灰皿収納ケースから前記灰皿が引き出された際、前記集煙板は前記回転駆動部により外方に回転して開き、前記灰皿収納ケースに前記灰皿が入れられた際、前記集煙板は前記回転駆動部により内方に回転して窄まり閉じ、前記灰皿と共に前記灰皿収納ケース内に収納されることを特徴とする清浄化機能付遊技テーブルである。【００１０】  また、請求項４記載の考案は、前記回転駆動部が、バネ付蝶番であることを特徴とする清浄化機能付遊技テーブルである。【００１１】  また、請求項５記載の考案は、前記回転駆動部が、前記灰皿収納ケースに設けた凸部と、前記灰皿に前記集煙板を回転自在に軸支する回転軸と、前記凸部に沿い摺接して前記集煙板を回転軸により回転させ且つ前記集煙板の基端部に設けてなる窪み部と、からなることを特徴とする清浄化機能付遊技テーブルである。【００１２】  また、請求項６記載の考案は、前記ファン内蔵型空気清浄機が、前記灰皿収納ケースから少なくとも１の灰皿が引き出された際オン状態となり、すべての灰皿が灰皿収納ケース内に収納されたあと、所定時間経過後にオフ状態となることを特徴とする清浄化機能付遊技テーブルである。【００１３】  上記第１の課題解決手段による作用は次の通りである。すなわち、テーブル板上に灰皿やエアー吸引口が無く邪魔にならずテーブル板上を自在に利用でき、ファン内蔵型空気清浄機をオン状態にすると、灰皿収納ケースから空気を吸い込むから、空気の通り道である隙間から空気を吸い込み、その状態で、テーブル板の端部下にある灰皿収納ケースから灰皿を引き出し喫煙中の煙草を置くと、煙草のけむりは周囲の空気と共に隙間を通り灰皿収納ケースに入り、さらにファン内蔵型空気清浄機内に入って、清浄化されて機外に排出される。【００１４】  上記第２の課題解決手段による作用は、灰皿に置かれた喫煙中の煙草からのけむりは、周囲の空気と共に灰皿側部の集煙板により導かれて、隙間から灰皿収納ケース内に入り、さらにファン内蔵型空気清浄機内に入る。【００１５】  上記第３の課題解決手段による作用は、灰皿収納ケースから灰皿を引き出すと、集煙板が回転駆動部により外方に回転して開き、灰皿に置かれた喫煙中の煙草からのけむりは、周囲の空気と共に外方に開いた集煙板に導かれて、隙間から灰皿収納ケース内に入り��さらにファン内蔵型空気清浄機内に入る。逆に、引き出した灰皿を灰皿収納ケースに入れると、集煙板が回転駆動部により内方に回転して閉じる。【００１６】  上記第４の課題解決手段による作用は、灰皿収納ケースから灰皿を引き出すと、集煙板がバネ付蝶番のバネ力により外方に回転して開き、逆に、引き出した灰皿を灰皿収納ケースに入れると、集煙板と相俟ってバネ付蝶番のバネ力を封じ、集煙板が内方に回転して閉じる。【００１７】  上記第５の課題解決手段による作用は、灰皿収納ケースから灰皿を引き出すと、灰皿収納ケースの凸部が集煙板の基端部にある窪み部に当たり摺接して、集煙板を「開」方向に回転させて外方に開き、逆に、引き出した灰皿を灰皿収納ケースに入れると、灰皿収納ケースの凸部が集煙板の基端部にある窪み部に当たり摺接して、集煙板を「閉」方向に回転させて内方に閉じる。【００１８】  上記第６の課題解決手段による作用は、灰皿収納ケースから少なくとも１の灰皿を引き出すと、ファン内蔵型空気清浄機がオン状態となり、逆に、すべての灰皿を灰皿収納ケース内に収納したあと所定時間経過すると、ファン内蔵型空気清浄機がオフ状態となる。
【考案の効果】
【００１９】  以上詳述したように、本考案によれば、以下のような効果がある。
請求項１記載の考案は、テーブル板上に障害物が無いから、遊技の邪魔にならず、煙草の灰、ゴミあるいは飲料物などによる別の障害の発生も無く、煙草のけむりのうち比較的害の多い副流煙をほぼ完全に吸引除去できるから、煙草のけむりの害を大きく緩和することができる効果がある。【００２０】  また、請求項２記載の考案は、上記の効果に加えて、灰皿に置かれた喫煙中の煙草からのけむりを、灰皿側部の集煙板によって、さらに効率的に吸引除去できる効果がある。【００２１】  また、請求項３記載の考案は、上記の効果に加えて、灰皿に置かれた喫煙中の煙草からのけむりを、外方に開いた集煙板によって、さらに効率的に吸引除去できる効果がある。【００２２】  また、請求項４記載の考案は、上記の効果に加えて、灰皿収納ケースから灰皿を引き出入れの際における集煙板の開閉が、よりスムーズにできる効果がある。【００２３】  また、請求項５記載の考案は、上記の効果に加えて、灰皿収納ケースから灰皿を引き出入れの際における集煙板の開閉が、よりスムーズにできる効果がある。【００２４】  また、請求項６記載の考案は、上記の効果に加えて、灰皿の使用状態に合わせてファン内蔵型空気清浄機がオン・オフ状態となり、煙草のけむりを確実に捕捉除去できる効果がある。
【図面の簡単な説明】
【００２５】
【図１】本考案の実施の形態を示す清浄化機能付遊技テーブルの斜視図である（実施例１）。
【図２】本考案の清浄化機能付遊技テーブルの灰皿収納ケースに灰皿が収納されている状態を示す平面図である（実施例１）。
【図３】本考案の清浄化機能付遊技テーブルの灰皿収納ケースから灰皿が引き出された状態を示す平面図である（実施例１）。
【図４】本考案の清浄化機能付遊技テーブルの他の灰皿収納ケースから灰皿が収納されている状態を示す平面図である（実施例２）。
【図５】本考案の清浄化機能付遊技テーブルの他の灰皿収納ケースから灰皿が引き出されつつある状態を示す要部の平面図である（実施例２）。
【図６】本考案の清浄化機能付遊技テーブルの他の灰皿収納ケースから灰皿が引き出された状態を示す平面図である（実施例２）。
【図７】本考案の清浄化機能付遊技テーブルの他の灰皿収納ケースから灰皿が引き出された状態を示す斜視図である（実施例３）。
【考案を実施するための形態】
【実施例１】
【００２６】  図面において、清浄化機能付遊技テーブル１は、テーブル板２の端部下に、灰皿３を引き出し入れ自在であると共にこの灰皿３との間に空気の通り道となる隙間４を有してなる灰皿収納ケース５を１以上設け、これら１以上の灰皿収納ケース５を、テーブル板２の下に設けたファン内蔵型空気清浄機６に接続してなり、このファン内蔵型空気清浄機６をオン状態にすれば、灰皿収納ケース５からの灰皿３の引き出し入れに関わりなく、隙間４を通り灰皿収納ケース５から空気を吸い込んで、ファン内蔵型空気清浄機６内に導入し清浄化することを特徴とするものである。【００２７】  前記テーブル板２は、各種遊技を実施できる広さと充分な強度を有し、且つ上記した灰皿３を引き出し入れ自在する灰皿収納ケース５からなる灰皿セット品１０を１以上取り付けることができ、さらにファン内蔵型空気清浄機６も取り付けることができるものであれば、特に限定がない。そして、このテーブル板２は４本以上の脚１１により支持されて、遊技テーブル１２を形成する。【００２８】  灰皿セット品１０は、テーブル板２の端部下に取り付けられるものであって、灰皿収納ケース５に灰皿３を引き出し入れ自在にできるものであり、且つ、灰皿収納ケース５と灰皿３との間には、空気の通り道となるのに充分な隙間４が開けられていることは言うまでもない。そして、灰皿収納ケース５に設けられたストッパーにより、灰皿３が灰皿収納ケース５から脱落しないようになっている。なお、灰皿３内に貯まった吸い殻を捨て易くするために、ストッパーの機能を解除して灰皿収納ケース５から灰皿３を取り外すことができるようにするのが良い。なお、この灰皿セット品１０は、図１ではテーブル板２の片方の長手側端部下に４セット、双方の非長手側端部下に２セットずつ、計８セット取り付けられているが、テーブル板２の端部下に１セット以上の灰皿セット品１０が取り付けられていればよい。【００２９】  さらに、この灰皿セット品１０には、灰皿３に集煙板２０が取り付けられ、この集煙板２０は、煙草のけむりを効率的に集めるのもであり、灰皿３の側部に回転自在に取り付けられと共に灰皿３及び／または灰皿収納ケース５に回転駆動部２１、すなわち、図２、３では灰皿３にバネ付蝶番２２が設けられ、灰皿収納ケース５から灰皿３が引き出された際、集煙板２０が回転駆動部２１であるバネ付蝶番２２のバネにより外方に回転して開き、灰皿収納ケース５に灰皿３が入れられた際、集煙板２０及び灰皿収納ケース５が相俟ってバネ付蝶番２２のバネの反発力を封じ、集煙板２０が内方に回転して窄まり閉じて、灰皿３と共に灰皿収納ケース５内に収納されるものである。なお、図２、３中、２３はテーブル板２の端部下に取り付けるためのフランジである。【００３０】  前記ファン内蔵型空気清浄機６は、煙草のけむりや浮遊する粉塵を除去できるものであれば、特に限定がない。すなわち、ファン内蔵型空気清浄機６は、粒子を粗取りするプレフィルター、微細粒子を除去する電気集塵機、臭いや超微細粒子を除去する脱臭フィルター及び排気するファンを空気の流れに沿い順次組み込まれたものが使用される。そして、このファン内蔵型空気清浄機６は、上記した１以上の灰皿セット品１０の灰��収納ケース５にフレキシブルホース２４により接続される。したがって、ファン内蔵型空気清浄機６のファンを作動させると、灰皿３に置かれている喫煙中の煙草からのけむりは、集煙板２０に導かれ隙間４から灰皿収納ケース５に入り、さらにフレキシブルホース２４を通ってファン内蔵型空気清浄機６内に入り、上記プレフィルター、電気集塵機、脱臭フィルターを通って清浄化されて機外に排出される。【００３１】  また、この清浄化機能付遊技テーブル１、すなわち、ファン内蔵型空気清浄機６の運転は、メインスイッチをオンすることにより、作動させても良いが、それではメインスイッチのオン・オフ忘れにより、機能が損なわれる虞がある。したがって、ファン内蔵型空気清浄機６は、１以上の灰皿収納ケース５から少なくとも１の灰皿３が引き出された際オン状態となり、すべての灰皿３が灰皿収納ケース５内に収納されたあと、所定時間、例えば５〜２０分間経過後にオフ状態となるように、するのがよい。このようにすることで、灰皿収納ケース５から少なくとも１の灰皿３を引き出すと、ファン内蔵型空気清浄機６がオン状態となり、煙草のけむりを吸い込み除去し、逆に、すべての灰皿３を灰皿収納ケース５内に収納したあと、所定時間経過させ煙草のけむりの発生の終わりを待って、ファン内蔵型空気清浄機６をオフ状態とし、メインスイッチのオン・オフ忘れや早すぎるオフによる弊害を防ぐことができる。
【実施例２】
【００３２】  図４ないし６は、清浄化機能付遊技テーブル１の他の灰皿セット品１０Ａを示すものであり、上記した灰皿セット品１０との相違点は、回転駆動部２１Ａが、灰皿収納ケース５に設けた凸部３０と、灰皿３に集煙板２０を回転自在に軸支する回転軸３１と、凸部３０に沿い摺接して集煙板２０をこの回転軸３１により回転させ且つ集煙板２０の基端部に設けてなる窪み部３２と、からなる点にある。なお、その他の構成、作用は、図２、３に示す灰皿セット品１０と同様なので、図面に符号を付して詳細な説明を省略する。【００３３】  これにより、灰皿セット品１０Ａの灰皿収納ケース５から灰皿３を引き出すと、灰皿収納ケース５の凸部３０が集煙板２０の基端部にある窪み部３２に当たり摺接して、集煙板２０を回転軸３１を中心として「開」方向に回転させ外方に開き、逆に、引き出した灰皿３を灰皿収納ケース５に入れると、灰皿収納ケース５の凸部３０が集煙板２０の基端部にある窪み部３２に当たり摺接して、集煙板２０を回転軸３１を中心として「閉」方向に回転させ内方に閉じることができる。
【実施例３】
【００３４】  図７は、清浄化機能付遊技テーブル１の他の灰皿セット品１０Ｂを示すものであり、上記した灰皿セット品１０との相違点は、回転駆動部２１が無く、灰皿３の側部に集煙板２０Ａを単に取り付けて、灰皿３の引き出し入れにともない集煙板２０Ａが開閉しないものであり、一定の効率を期待できるものである。なお、その他の構成、作用は、図２、３に示す灰皿セット品１０と同様なので、図面に符号を付して詳細な説明を省略する。【００３５】  次に、上記構成になる清浄化機能付遊技テーブル１の作動状況を詳述する。
まず、清浄化機能付遊技テーブル１の灰皿収納ケース５に灰皿３を入れた状態にする。つぎに、メインスイッチをオンするか、あるいは８セットある灰皿収納ケース５のいずれか１つから灰皿３を引き出すことにより、メインスイッチをオン状態にして、ファン内蔵型空気清浄機６を作動させる。内蔵のファンが作動するから、灰皿３が引き出され、あるいは灰皿３が引き出されていないことに関わりなく、各隙間４から空気を吸い込む。この状態になっていると、遊技者は、自在に灰皿３を引き出し、支障なく灰皿３に灰を落としたり、喫煙中の煙草を置くことができる。【００３６】  一方、灰皿収納ケース５から引き出された灰皿３の側部に、図２、３に示す集煙板２０がバネ蝶番２２により回転自在に取り付けられていたり（実施例１）、灰皿収納ケース５から引き出された灰皿３の側部に、図４、５、６に示す集煙板２０が回転軸３１により回転自在に軸支されていたり（実施例２）、灰皿収納ケース５から引き出された灰皿３の側部に、図７に示す集煙板２０Ａが取り付けられていたり（実施例３）していると、これら集煙板２０、２０Ａにより灰皿３に置かれた喫煙中の煙草からのけむりが効率よく、隙間４から周囲の空気と共に灰皿収納ケース５内に吸い込まれ、さらにフレキシブルホース２４を通ってファン内蔵型空気清浄機６内に入り、上記プレフィルター、電気集塵機、脱臭フィルターを通って清浄化されて機外に排出される。なお、集煙板２０、２０Ａが無くても、煙草のけむり回収の効率は低下するが、大きな阻害要素にならない。【００３７】  そして、清浄化機能付遊技テーブル１の作動を終了させるには、メインスイッチを直接オフするか、あるいは、灰皿セット品１０、１０Ａの灰皿収納ケース５に全ての灰皿３を入れれば、所定時間後、例えば、２０分間経過後に終了させることが出来る。【００３８】  以上、本考案の実施例１、２、３を説明したが、具体的な構成はこれに限定されず、本考案の要旨を逸脱しない範囲での変更・追加、各請求項における他の組み合わせにかかるものも、適宜可能であることが理解されるべきである。
【産業上の利用可能性】
【００３９】  本考案の清浄化機能付遊技テーブルは、そのテーブル板上を遊技のみに使用したく、テーブル板上に煙草の灰、ゴミあるいは飲料物などを落としても、さしたる障害の発生も無く、煙草のけむりにおける比較的害の多い副流煙をほぼ完全に吸引除去して、非喫煙の遊技者や従業員に対して、煙草のけむりの害を大きく緩和したいような場合に、利用可能性が極めて高くなる。
【符号の説明】
【００４０】１                    清浄化機能付遊技テーブル
２                    テーブル板
３                    灰皿
４                    隙間
５                    灰皿収納ケース
６                    ファン内蔵型空気清浄機
１０、１０Ａ、１０Ｂ  灰皿セット品
１１                  脚
１２                  遊技テーブル
２０、２０Ａ          集煙板
２１、２１Ａ          回転駆動部
２２                  バネ付蝶番
２３                  フランジ
２４                  フレキシブルホース
３０                  凸部
３１                  回転軸
３２                  窪み部
【図１】
0003160950.tif 000003
【図２】
0003160950.tif 000004
【図３】
0003160950.tif 000005
【図４】
0003160950.tif 000006
【図５】
0003160950.tif 000007
【図６】
0003160950.tif 000008
【図７】
0003160950.tif 000009